(57)【特許請求の範囲】
【請求項１】
互いに直交する縦方向、横方向、および厚さ方向と仮想縦中心線とを有し、肌対向面および非肌対向面と、前ウエスト域と、後ウエスト域と、前記前後ウエスト域間に位置するクロッチ域と、前記前後ウエスト域を画定し、前後ウエストパネルから形成される弾性ウエストパネルと、吸液性コアを有する吸液性構造体と前記吸液性構造体を積層するベースシートとを備え、前記縦方向におけるその前後端部が前記前後ウエストパネルに取り付けられて前記クロッチ域を画定するクロッチパネルとを含む使い捨て着用物品であって、
前記吸液性構造体は、少なくとも２枚の繊維不織布と、前記２枚の繊維不織布の間に介在した吸収性ポリマー粒子とを前記コアが含み、
前記前後ウエスト域及び前記クロッチ域において、前記ベースシートには、前記横方向の両側部の一方に位置して前記縦方向へ連続して延びる第１弾性体と、前記横方向の両側部の他方に位置して前記縦方向へ連続して延びる第２弾性体とを設けてあり、
前記第１弾性体及び前記第２弾性体は、前記後ウエスト域および前記クロッチ域の前記後ウエスト域側においては、前記縦方向へ延びるように直状に配置してあり、前記クロッチ域の中央を超えた前記前ウエスト域側においては、前記仮想縦中心線に近接するように折れ曲がった後、前記仮想縦中心線から離間するように折れ曲がり、前記前ウエスト域においては、前記縦方向へ延びるように直状に配置してあり、前記横方向において最も接近する部分が、前記クロッチ域において、前記後ウエスト域側よりも前ウエスト域側に偏倚するように配置してあり、
前記前後ウエスト域及び前記クロッチ域における前記ベースシートの全域において前記第１弾性体と前記第２弾性体とが交差せず、前記ベースシートの前記縦方向の全域において、前記第１弾性体と前記第２弾性体との間には前記横方向において離間領域を設けてあることを特徴とする前記着用物品。
【請求項２】
前記吸液性構造体は、前記コアの質量の少なくとも７０質量％の吸収性ポリマー粒子を前記コアが含み、前記吸収性ポリマー粒子によって排泄物を吸収する吸収領域と、前記吸収領域の間をシールするシール領域とが前記縦方向へ交互に配置される請求項１に記載の着用物品。
【発明の詳細な説明】
【技術分野】
【０００１】
本発明は、使い捨て着用物品に関し、使い捨ておむつ、使い捨てのトイレット・トレーニングパンツ、使い捨て失禁パンツ、使い捨ての生理用パンツ、使い捨て吸収パッド等の使い捨て着用物品に関する。
【背景技術】
【０００２】
従来、前ウエスト域と、後ウエスト域と、前記前後ウエスト域間に位置するクロッチ域と、前記前後ウエスト域を画定し、前後ウエストパネルから形成される弾性ウエストパネルと、吸液性構造体と、前記吸液性構造体を積層するベースシートとを備え、縦方向におけるその前後端部が前記前後ウエストパネルに取り付けられてクロッチ域を画定するクロッチパネルとを含む使い捨ておむつは、例えば、特許文献１において、公知である。
【先行技術文献】
【特許文献】
【０００３】
【特許文献１】特開２０１１−２１２２８９号公報
【発明の概要】
【発明が解決しようとする課題】
【０００４】
一般に使い捨ておむつ等の着用物品は、その着用状態で、そのクロッチ域が着用者の肌から離れて嵩張ることは、見栄えがよくないばかりでなく、排泄物の漏れ防止や、着用者の動き易さをよくするうえで好ましくないが、特許文献１を含む公知技術は、そうした問題を解決する手段を教示していない。
【０００５】
そこで、本発明は、前記問題点を解決するための使い捨て着用物品を提供することを課題とする。
【課題を解決するための手段】
【０００６】
本発明は、互いに直交する縦方向、横方向、および厚さ方向と仮想縦中心線とを有し、肌対向面および非肌対向面と、前ウエスト域と、後ウエスト域と、前記前後ウエスト域間に位置するクロッチ域と、前記前後ウエスト域を画定し、前後ウエストパネルから形成される弾性ウエストパネルと、吸液性コアを有する吸液性構造体と前記吸液性構造体を積層するベースシートとを備え、前記縦方向におけるその前後端部が前記前後ウエストパネルに取り付けられて前記クロッチ域を画定するクロッチパネルとを含む使い捨て着用物品である。
【０００７】
本発明は、前記吸液性構造体は、少なくとも２枚の繊維不織布と、前記２枚の繊維不織布の間に介在した吸収性ポリマー粒子とを前記コアが含み、前記前後ウエスト域及び前記クロッチ域において、前記ベースシートには、前記横方向の両側部の一方に位置して前記縦方向へ連続して延びる第１弾性体と、前記横方向の両側部の他方に位置して前記縦方向へ連続して延びる第２弾性体とを設けてあり、前記第１弾性体及び前記第２弾性体は、前記後ウエスト域および前記クロッチ域の前記後ウエスト域側においては、前記縦方向へ延びるように直状に配置してあり、前記クロッチ域の中央を超えた前記前ウエスト域側においては、前記仮想縦中心線に近接するように折れ曲がった後、前記仮想縦中心線から離間するように折れ曲がり、前記前ウエスト域においては、前記縦方向へ延びるように直状に配置してあり、前記横方向において最も接近する部分が、前記クロッチ域において、前記後ウエスト域側よりも前ウエスト域側に偏倚するように配置してあり、前記前後ウエスト域及び前記クロッチ域における前記ベースシートの全域において前記第１弾性体と前記第２弾性体とが交差せず、前記ベースシートの前記縦方向の全域において、前記第１弾性体と前記第２弾性体との間には前記横方向において離間領域を設けてあることを特徴とする。
【発明の効果】
【００１０】
第１発明に係る一つ以上の実施態様における使い捨て着用物品によれば、前記クロッチ域において、前記ベースシートには、前記横方向の一方の両側縁から中央に向けて凸となるように延びる第１弾性体を設けるとともに、前記横方向の他方の両側縁から中央に向けて凸となるように延びる第２弾性体を設けてあるため、これら第１弾性体および第２弾性体の収縮力によって、クロッチ域が着用者の肌から離れることを防止することができる。よって、この使い捨て着用物品によれば、着用時の見栄えが低下することを防止することができる。
【００１１】
第２発明に係る一つ以上の実施態様における使い捨て着用物品によれば、前記クロッチ域において、前記ベースシートには、前記前ウエスト域側から前記後ウエスト域側に向けて凸となるように延びる第３弾性体を設けるとともに、前記後ウエスト域側から前記前ウエスト域側に向けて凸となるように延びる第４弾性体を設けてあるため、これら第３弾性体および第４弾性体の収縮力によって、クロッチ域が着用者の肌から離れることを防止することができる。よって、この使い捨て着用物品によれば、着用時の見栄えが低下することを防止することができる。
【００１２】
第３発明に係る一つ以上の実施態様における使い捨て着用物品によれば、前記ベースシートには、前記前ウエスト域側の端縁を始点とし、後ウエスト域側の端縁を終点とするように前記縦方向へ延びる第５弾性体を設けるとともに、前記前ウエスト域側の端縁を始点とし、後ウエスト域側の端縁を終点とするように前記縦方向へ延びる第６弾性体を設けてあり、前記第５弾性体と前記第６弾性体とが前記クロッチ域で交差するため、これら第５弾性体および第６弾性体の収縮力によって、クロッチ域が着用者の肌から離れることを防止することができる。よって、この使い捨て着用物品によれば、着用時の見栄えが低下することを防止することができる。
【図面の簡単な説明】
【００１３】
【図１】第１発明の使い捨て着用物品の一例として示す、使い捨ておむつの斜視図。
【図２】おむつのサイドシーム部を剥離して縦方向および横方向に伸展した状態をその肌対向面から見た一部破断展開平面図。
【図３】おむつの分解斜視図。
【図４】図１のＩＶ−ＩＶ線断面図。
【図５】図２のＶ−Ｖ線断面図。
【図６】ベースシートの説明図。
【図７】吸液性構造体の説明図。
【図８】図７のＶＩＩＩ−ＶＩＩＩ線断面図。
【図９】着用状態におけるクロッチパネルの断面図。
【図１０】第２発明の使い捨ておむつのベースシートの説明図。
【図１１】第３発明の使い捨ておむつのベースシートの説明図。
【図１２】第３発明の変形例の説明図。
【発明を実施するための形態】
【００１４】
＜第１実施形態＞
図１〜７を参照しつつ、本発明の着用物品の一例である使い捨ておむつ１０を説明する。おむつ１０は、図２に示すように、縦方向Ｙ及びそれに直交する横方向Ｘと、横方向Ｘの幅寸法を二等分する仮想縦中心線Ｐ−Ｐと、縦方向Ｙの幅寸法を二等分する仮想横中心線Ｑ−Ｑとを有する。おむつ１０は、仮想縦中心線Ｐ−Ｐに関して対称に形成されている。
【００１５】
図１，２に示すように、おむつ１０は、肌対向面及びそれに対向する非肌対向面を有し、ウエスト回り方向へ延びる環状の弾性ウエストパネル１１と、弾性ウエストパネル１１の非肌対向面に連結されたクロッチパネル１２と、弾性ウエストパネル１１によって画定される前ウエスト域１３と、後ウエスト域１４と、前後ウエスト域１３，１４間を縦方向Ｙに延びるクロッチ域１５とを含む。弾性ウエストパネル１１は、前ウエスト域１３に位置する前ウエストパネル１８と、後ウエスト域１４に位置する後ウエストパネル１９とから構成されている。
【００１６】
前ウエストパネル１８は、クロッチパネル１２と交差し、横方向Ｘへ延びる内端縁１８ａと、縦方向Ｙにおいて内端縁１８ａと離間対向して横方向Ｘへ延びる外端縁１８ｂと、内外端縁１８ａ，１８ｂ間において縦方向Ｙへ延びる両側縁１８ｃ，１８ｄとによって画定された横長矩形状を有する。
【００１７】
後ウエストパネル１９は、前ウエストパネル１８とほぼ同形同大であって、クロッチパネル１２と交差し、横方向Ｘへ延びる内端縁１９ａと、縦方向Ｙにおいて内端縁１９ａと離間対向して横方向Ｘへ延びる外端縁１９ｂと、内外端縁１９ａ，１９ｂ間において縦方向Ｙへ延びる両側縁１９ｃ，１９ｄとによって画定された横長矩形状を有する。
【００１８】
前ウエストパネル１８の両側縁１８ｃ，１８ｄのそれぞれと後ウエストパネル１９の両側縁１９ｃ，１９ｄのそれぞれとは、互いに重ね合わされて、縦方向Ｙへ断続的に延びるサイドシーム部２２によって連結され、ウエスト開口２３ａ及び一対のレッグ開口２３ｂが画定されている（図１参照）。サイドシーム部２２は、公知の接合手段、例えば、熱エンボス加工、ソニック加工等の各種の熱溶着手段によって施されている。
【００１９】
前ウエストパネル１８は、図２に示すように、肌対向面側に位置する第１内面シート２４と、非肌対向面側に位置する第１外面シート２５を有する。第１内外面シート２４，２５は、質量約１０〜３０ｇ／ｍ２の実質的に不透液性のＳＭＳ（スパンボンド・メルトブローン・スパンボンド）繊維不織布、スパンボンド不織布、プラスチックシート又はそれら不織布の少なくとも一つとのラミネートシートとから形成することができる。内外面シート２４，２５は、少なくともいずれか一方の内面に間欠的に塗布されたホットメルト接着剤又は前記熱溶着手段によって接合される。
【００２０】
前ウエストパネル１８の内外面シート２４，２５間には、横方向Ｘへ延びる複数条のストランド状又はストリング状の弾性体２７が固定される。前ウエストパネル１８は、弾性体２７が横方向Ｘへの伸長下に固定されることによって少なくとも横方向Ｘへ収縮可能に弾性化されている。内外面シート２４，２５は、内外面シート２４，２５の接合状態がおむつ１０の着用中に剥離するおそれがない限りにおいて、弾性体２７のほぼ全周面に塗布したホットメルト接着剤を介してのみ互いに接合されていてもよい。弾性体２７は、前ウエストパネル１８の外端縁１８ｂに沿って横方向Ｘへ延びる複数条の弾性体２８と、内端縁１８ａに沿って横方向Ｘへ延びる複数条の弾性体２９とから構成される。弾性体２９は、弾性体２８に比してその一部が密の状態で配設されている。
【００２１】
後ウエストパネル１９は、肌対向面側に位置する第２内面シート３０と、非肌対向面側に位置する第２外面シート３１を有する。第２内外面シート３０，３１は、質量約１０〜３０ｇ／ｍ２の実質的に不透液性のＳＭＳ（スパンボンド・メルトブローン・スパンボンド）繊維不織布、スパンボンド繊維不織布、プラスチックシート又はそれらの不織布の少なくとも一つとのラミネートシートとから形成することができる。内外面シート３０，３１は、少なくともいずれか一方の内面に間欠的に塗布されたホットメルト接着剤又は前記熱溶着手段よって互いに接合される。
【００２２】
第２内外面シート３０，３１間には、横方向Ｘへ延びる複数条のストランド状又はストリング状の弾性体３２が横方向Ｘへ伸長下に固定されている。後ウエストパネル１９は、後ウエスト弾性体３２が固定されることによって少なくとも横方向Ｘに収縮可能に弾性化されている。内外面シート３０，３１は、弾性体３２のほぼ全周面に塗布したホットメルト接着剤を介してのみ互いに接合されてもよい。弾性体３２は、後ウエストパネル１９の外端縁１９ｂに沿って横方向Ｘへ延びる複数条の弾性体３３と、内端縁１９ａに沿って横方向Ｘへ延びる複数条の弾性体３４とから構成される。弾性体３４は、弾性体３３に比してその一部が密の状態で配設されている。
【００２３】
弾性体２７，３２は、太さ（線径）が約４００〜１０００ｄｔｅｘ、伸長倍率が約１．８〜３．０倍の弾性材料から形成することができる。また、各弾性体間の縦方向Ｙにおける離間寸法（ピッチ。弾性体の中心部間の距離）は、約５．０〜３０．０ｍｍであって、少なくとも６．０ｍｍ以上であることが好ましい。
【００２４】
クロッチパネル１２は、縦長の略矩形状であって、前ウエストパネル１８の非肌対向面に連結された前端部１２Ａと、後ウエストパネル１９の非肌対向面に連結された後端部１２Ｂと、前後端部１２Ａ，１２Ｂ間において縦方向Ｙへ延びる中間部１２Ｃとを有する。また、クロッチパネル１２は、図４に示すように、ベースシート４８と、ベースシート４８の肌対向面（内面）に配置された吸液性構造体４９と、吸液性構造体４９を被覆する透液性シートから形成された身体側ライナ５０とを有する。クロッチパネル１２の前後端部１２Ａ，１２Ｂは、図２に示すように、繊維不織布から形成された横方向Ｘへ延びる前後カバーシート８０，８１によって被覆されている。クロッチパネル１２は、図２に示すように、横方向Ｘの中央に位置する中央部１６と、横方向Ｘの両側に位置する両側部１７とを有し、中央部１６と両側部１７との間に位置する仮想折曲線２１を介して両側部１７が中央部１６に向くように折り曲げられて両側部１７が防漏フラップ２０として形成されている。
【００２５】
ベースシート４８と吸液性構造体４９とは、図４に示すように、それらの対向面に塗布されたホットメルト接着剤（図示せず）から形成された接合域９０を介して互いに接合されている。具体的には、吸液性構造体４９は、前後ウエスト域１３，１４に位置する接合部位９１，９２においてベースシート４８の内面に固定され、おむつ１０の着用中において、その一部がベースシート４８の内面から離間して吊持された状態となっている。
【００２６】
図２，４を参照すると、ベースシート４８は、少なくとも一方が実質的に不透液性の繊維不織布シート又は不透液性のプラスチックフィルムから形成された内外面クロッチシート５１，５２によって構成される。また、内外面クロッチシート５１，５２は、ホットメルト接着剤（図示せず）を介して互いに接合されている。ベースシート４８は、図５に示すように、横方向の中央に位置する中央部４８ａと、横方向の両側に位置する両側部４８ｂとを有し、両側部４８ｂは、内方へ折り曲げられて、縦方向Ｙへ延びるガスケット機能を有する一対の防漏フラップ２０が形成される。図５中、Ｚは、横方向Ｘおよび縦方向Ｙにそれぞれ直交する厚さ方向を示す。
【００２７】
各防漏フラップ２０には、これらに縦方向Ｙへ延びる複数条のストランド状又はストリング状の弾性体５４，５５が伸長下に固定されており、少なくとも縦方向Ｙにおいて弾性化されている。弾性体５４は、図２に示すように、クロッチ域１５の中央部において仮想縦中心線Ｐ−Ｐへ向かって凸曲し、おむつ１０の着用状態における着用者の脚回り方向へ延びている一方、弾性体５５は防漏フラップ２０の内側縁２０ａに沿って縦方向Ｙへ直状に延びている。弾性体５４，５５は、前記の内外面クロッチシート５１，５２のうちのいずれか一方の内面に塗布されたホットメルト接着剤（図示せず）を介して両シート５１，５２間に縦方向Ｙに伸長された状態で固定される。
【００２８】
弾性体５４は、その中央部が、仮想縦中心線Ｐ−Ｐに向かって凸曲していて、他方の弾性体５５と近接していて弾性体５４，５５による弾性域においてそれら近接域の伸長応力が弾性体５４，５５どうしの離間間隔が大きい前後ウエストパネル１８，１９側の部位の伸長応力に比して高められる。それにより、着用者の大腿に接触すべき防漏フラップ２０の中央部近傍が大腿に密着し、レッグ開口２３ｂ縁部からの尿等の排泄物の漏れを効果的に防止することができる。
【００２９】
図６は、ベースシート４８に仮想折曲線２１を設ける前において、内外面クロッチシート５１，５２の間に、弾性体５４，５５，５６，５７を固定したベースシート４８を示すものであるが、説明の便宜のため、ベースシート４８から外面クロッチシート５２を取り除いてある。
【００３０】
第１弾性体５６は、内外面クロッチシート５１，５２間において、横方向Ｘの両側部４２の一方から中央部４１に向けて凸となるように延びる例えば２条のストランド状又はストリング状の弾性部材を伸長下に固定してある。より具体的には、図６に示すように、第１弾性体５６は、縦方向Ｙにおける後ウエスト域１４側のベースシート４８の端縁を始点とし、後ウエスト域１４およびクロッチ域１５の後ウエスト域１４側においては、縦方向Ｙへ延びるように直状に配置してあるが、クロッチ域１５の中央を超えた前ウエスト域１３側においては、仮想縦中心線Ｐ−Ｐに近接するように折れ曲がった後、仮想縦中心線Ｐ−Ｐに離間するように折れ曲がり、その後、前ウエスト域１３においては、縦方向へ延びるように直状に配置してあり、縦方向Ｙにおける前ウエスト域１３側のベースシート４８の端縁を終点とする。
【００３１】
第２弾性体５７は、内外面クロッチシート５１，５２間において、横方向Ｘの両側部４２の他方から中央部４１に向けて凸となるように延びる例えば２条のストランド状又はストリング状の弾性部材を伸長下に固定してある。より具体的には、図６に示すように、第２弾性体５７は、縦方向Ｙにおける後ウエスト域１４側のベースシート４８の端縁を始点とし、後ウエスト域１４およびクロッチ域１５の後ウエスト域１４側においては、縦方向Ｙへ延びるように直状に配置してあるが、クロッチ域１５の中央を超えた前ウエスト域１３側においては、仮想縦中心線Ｐ−Ｐに近接するように折れ曲がった後、仮想縦中心線Ｐ−Ｐに離間するように折れ曲がり、その後、前ウエスト域１３においては、縦方向へ延びるように直状に配置してあり、縦方向Ｙにおける前ウエスト域１３側のベースシート４８の端縁を終点とする。
【００３２】
第１弾性体５６および第２弾性体５７は、厚さ方向Ｚにおいて、吸液性構造体４９の非肌対向面に配置されている。
【００３３】
また、横方向Ｘにおいて、第１弾性体５６と、第２弾性体５７との間には、離間領域５８を設けてあるため、排泄物がおむつ１０に排泄された場合には、排泄物の自重によって離間領域５８が着用者の肌から離れるように吸液性構造体４９が変形する。よって、排泄物が直接肌に接触することを抑えることができるため、肌にかぶれ等が発生することを抑えることができる。
【００３４】
第１弾性体５６および第２弾性体５７は、例えば内外面クロッチシート５１，５２の少なくとも一方のシート５１，５２に塗布したホットメルト接着剤（不図示）によってベースシート４８に固定してある。
【００３５】
弾性体５６，５７は、太さ（線径）が約４００〜１０００ｄｔｅｘ、伸長倍率が約１．８〜３．０倍の弾性材料を用いることができる。また、各弾性体５６，５７間の縦方向Ｙにおける離間寸法（ピッチ。弾性体の中心部間の距離）は、約３．０〜３０．０ｍｍであって、少なくとも５．０ｍｍ以上であることが好ましい。
【００３６】
このおむつ１０によれば、クロッチ域１５のベースシート４８には、内外面クロッチシート５１，５２間において、横方向Ｘの両側部４２の一方から中央部４１に向けて凸となるように延びる例えば２条のストランド状又はストリング状の弾性材料からなる第１弾性体５６を伸長下に固定してあるとともに、内外面クロッチシート５１，５２間において、横方向Ｘの両側部４２の他方から中央部４１に向けて凸となるように延びる例えば２条のストランド状又はストリング状の弾性材料からなる第２弾性体５７を伸長下に固定してあるため、弾性体５６，５７の収縮力によって、排泄前および排泄後を通じて、クロッチパネル１２が着用者の肌から離れることを防止することができる。よって、このおむつ１０によれば、着用時の見栄えが低下することを防止することができる。
【００３７】
なお、上述した実施の形態には、第１弾性体５６と、第２弾性体５７とが交差せず、横方向Ｘにおいて、第１弾性体５６と第２弾性体との間に、離間領域５８を設けてある。また、第１弾性体５６と第２弾性体５７とが横方向Ｘにおいて最も接近する部位が、クロッチ域１５における前ウエスト域１３側に偏倚するように配置し、且つ該部位と、仮想横中心線Ｑ−Ｑとの縦方向Ｙにおける離間距離Ｌ３が、例えば７０〜９０ｍｍであれば、クロッチパネル１２が着用者の肌から妄りに離れることを確実に防止することができる。
【００３８】
また、後述するように、吸液性構造体４９は、吸収性ポリマー粒子６３から、または少なくとも約７０質量％から形成された吸液性コア６２およびそれを被包するシート６０，６１のみから形成されているため、弾性体５６，５７の収縮によってクロッチパネル１２が着用者の肌側に密着するように持ち上げられやすいため、尿等の排泄物が漏れることを防止することができる。また、横方向Ｘにおいて、第１弾性体５６と第２弾性体５７との間には離間領域５８を設けてあるため、排泄物がおむつ１０に排泄された場合には、排泄物の自重によって離間領域５８が着用者の肌から離れるように吸液性構造体４９が変形する。よって、排泄物が直接肌に接触することを抑えることができるため、肌にかぶれ等が発生するのを抑えることができる。
【００３９】
図４に示す身体側ライナ５０は、その材料が疎水性繊維である場合、好ましくは親水化処理された、質量約１５〜３５ｇ／ｍ２の透液性を有する繊維不織布シートであって、例えば、スパンボンド繊維不織布、ポイントボンド繊維不織布及びエアスルー不織布等各種公知の繊維不織布から形成することができる。
【００４０】
クロッチパネル１２は、吸液性構造体４９も含む。吸液性構造体４９は、図７，８に示すように、略矩形状を有し、ともに繊維不織布である上部シート６０と、下部シート６１と、上下部シート６０，６１間に介在した吸液性コア６２とを備えている。上部シート６０は、肌対向面側に位置する質量約８〜１５ｇ／ｍ２、好ましくは、質量約１０ｇ／ｍ２の透水性の繊維不織布から形成してある。下部シート６１は、非肌対向面側に位置する質量約８〜１５ｇ／ｍ２、好ましくは、１１ｇ／ｍ２の透水性または難透水性のＳＭＳ繊維不織布から形成してある。吸液性コア６２は、例えば、不水溶性かつ自己質量の１０倍以上の吸水力を有するいわゆる吸収性ポリマー粒子６３のみから形成され、フラッフ木材パルプ等の他の吸収性繊維を含んでいない。ただし、吸液性コア６２に所要の吸収性および嵩を保ち得る限り、若干質量、例えば吸液性コア６２に質量約３０％の前記他の吸収性繊維を含んでもよい。従ってコア６２は、吸収性ポリマー粒子６３を少なくとも吸液性コア６２の質量の約７０質量％から形成されているのが好ましい。
【００４１】
また、吸液性構造体４９は、吸収性ポリマー粒子６３が配置された、縦方向Ｙへ所与寸法離間する略矩形状に画定された吸収領域６４と、吸収性ポリマー粒子６３が実質的に配置されていないシール領域６５とを有する。シール領域６５は、吸収領域６４を取り囲むように固定してある。なお、本実施形態において、吸収領域６４は、８つの区域に区分されているが、吸液性構造体４９の有する吸収性能に応じてその面積、区域数を適宜変更することができる。ここで、吸収性ポリマー粒子６３が実質的に配置されていないとは、シール機能が阻害されない程度の該粒子６３が存在していてもよいことを意味する。ちなみに、該粒子６３の配置工程において上述で説明した程度の該粒子６３がシール領域６５に散布されることがある。
【００４２】
吸収領域６４では、図８に示すように、下部シート６１の肌対向面に塗布されたホットメルト接着剤６６を介して質量約３０〜３００ｇ／ｍ２、好ましくは、質量約４０〜２８０ｇ／ｍ２の吸収性ポリマー粒子６３がほぼ一様に固定されている。吸収領域６４では、上部シート６０と下部シート６１とが部分的に固定されているか又はそれらが互いに固定されていないことが好ましい。
【００４３】
シール領域６５、すなわち、吸収領域６４間の離間部位および吸液性構造体４９の外周縁沿い全域においては、上部シート６０の非肌対向面に塗布されたホットメルト接着剤６７を介して上下部シート６０，６１が互いに接合されている。
【００４４】
このように吸液性構造体４９は、吸収性ポリマー粒子６３から、または少なくとも約７０質量％から形成された吸液性コア６２およびそれを被包するシート６０，６１のみから形成されているため、吸液性コア６２が、吸収性ポリマー粒子６３と比較的多量のフラッフパルプ等の吸収性繊維との混合物から形成されている場合に比して薄く、クロッチパネル１２の動きに対する応動性に優れている。また、上下部シート６０，６１がシール領域６５において安定的に固定されていることによって所要の剥離強度を有するとともに、上下部シート６０，６１の内面全体が固定されている場合に比して高い可撓性を有するものといえる。さらに、吸収領域６４において吸収性ポリマー粒子６３が一様に固定されているから、着用者の動作および姿勢にかかわらず、その分布に偏りを生じることはない。
【００４５】
図９は、おむつ１０の着用状態におけるクロッチパネル１２を示す。図示するように、弾性体５４，５５の収縮力によって、防漏フラップ２０が上方に向けて立ち上がる。また、防漏フラップ２０の一方の内側縁２０ａから他方の内側縁２０ｂまでの長さ寸法（排泄物収容スペースＳの外周囲の長さ寸法）Ｌ２は、約３８０〜４５０ｍｍである。防漏フラップ２０は、おむつ１０の着用状態において、吸液性構造体４９から離れて着用者の大腿に当たり、クロッチパネル１２は弾性ウエストパネル１１に吊持された袋状を呈する。かかる着用状態において、排泄物がクロッチパネル１２に排泄された場合には、着用者と吸液性構造体４９との間に排泄物を保持するための、通常のおむつに比べて大容量の排泄物収容スペースＳが形成される。よって、このおむつ１０は、多量の排泄物を保持することができるとともに、クロッチパネル１２がハンモック状に吊持される。しかも、クロッチ域１５のベースシート４８には、横方向Ｘの両側部４２の一方から中央部４１に向けて凸となるように延びる第１弾性体５６を設けるとともに、横方向Ｘの両側部４２の他方から中央部４１に向けて凸となるように延びる第２弾性体５７を設けてあるため、弾性体５６，５７の収縮力によって、排泄前および排泄後を通じて、クロッチパネル１２が着用者の肌から離れることを防止することができる。よって、このおむつ１０によれば、着用時の見栄えが低下することを防止することができる。
【００４６】
なお、上述した実施の形態では、第１弾性体５６と、第２弾性体５７とが交差しない。しかし、弾性体５６，５７は、必ずしも交差しないように配置する必要はなく、交差するように配置してもよい。
【００４７】
また、吸液性構造体４９は、吸液性コア６２が吸収性ポリマー粒子６３のみから形成されていることから、吸収性ポリマー粒子６３とフラッフパルプ等の吸収性繊維とから形成されている吸液性コアに比べて薄いため、吸液性構造体４９は、その肌対向面側のみならず非肌対向面側からも尿等の排泄物を吸収することができ、かつ、剛性が低いシート状であるため、着用者の身体の動きに応動し易く、その着用状態において、クロッチパネル１２内において吊持された状態となる。また、吸液性構造体４９は、比較的に可撓性が高いことから、ベースシート４８の動きに応動し、すなわち、弾性体５４，５５が伸長されることによって形成された防漏フラップ２０の壁部２０ｃに沿って湾曲した形状を有し、排泄前においてよりクロッチパネル１２が全体的に膨らんだ袋状の形態を呈することができる。
【００４８】
再び、図２，４を参照すると、クロッチパネル１２は、前端部１２Ａ及び後端部１２Ｂの肌対向面にホットメルト接着剤を塗布して形成された前接合域７２と後接合域７３とにおいて前後ウエストパネル１８，１９の非肌対向面に連結される。このように、クロッチパネル１２の前後端部１２Ａ，１２Ｂを前後ウエストパネル１８，１９の非肌対向面に連結することによって、それらを前後ウエストパネル１８，１９の肌対向面に連結する場合に比して、排泄物収容スペースＳを大きく形成することができる（図９参照）。
【００４９】
前後接合域７２，７３は、図３に示すように、クロッチ域１５へ向かって開口した凹状を有し、それぞれ、弾性サイドフラップの肌対向面にホットメルト接着剤を塗布して形成された両側部７４と、両側部７４間において、横方向Ｘへ延びる中央部７５とを有する。中央部７５は、吸液性構造体４９よりも縦方向Ｙの外方に位置する。なお、本実施形態において、前接合域７２の両側部７４は段差状、後接合域７３の両側部７４は矩形状を有しているが、それらの形状に制限されるものではなく、前後接合域７２，７３の両側部７４は、段差状、矩形状、曲状などの各種の形状を有していてもよい。
【００５０】
＜第２実施形態＞
図１０に示すベースシート１４８は、図６に示したベースシート４８の変形例を示す。図１０は、ベースシート１４８に仮想折曲線２１を設ける前において、内外面クロッチシート５１，５２の間に、弾性体５４，５５，１５６，１５７を固定したベースシート１４８を示すものであるが、説明の便宜のため、ベースシート１４８から外面クロッチシート５２を取り除いてある。この変形例の基本的構成は、図６に示したベースシート４８と同様であるので、同一の箇所には同一の符号を付して説明を省略し、相違する点についてのみ以下に説明する。
【００５１】
第３弾性体１５６は、内外面クロッチシート５１，５２間において、前ウエスト域１３側から後ウエスト域１４側に向けて凸となるように延びる例えば２条のストランド状又はストリング状の弾性部材を伸長下に固定してある。また、第３弾性体１５６どうしの間には離間領域５８を設けてある。より具体的には、図１０に示すように、第３弾性体１５６は、縦方向Ｙにおける前ウエスト域１３側のベースシート１４８の端縁を始点とし、クロッチ域１５および前ウエスト域１３においては、横方向Ｘの両側縁４２の一方から、縦方向Ｙおよび横方向Ｘへ斜めに傾斜するように後ウエスト域１４側へ延びた後、縦方向Ｙにおいてクロッチ域１５の仮想横中心線Ｑ−Ｑを超えた箇所で反転し、その後、縦方向Ｙおよび横方向Ｘへ斜めに傾斜するように前ウエスト域１３側へ横方向Ｘの両側縁４２の他方まで延び、縦方向Ｙにおける前ウエスト域１３側のベースシート１４８の端縁を終点とする。
【００５２】
第４弾性体１５７は、内外面クロッチシート５１，５２間において、後ウエスト域１４側から前ウエスト域１３側に向けて凸となるように延びる例えば２条のストランド状又はストリング状の弾性部材を伸長下に固定してある。また、第４弾性体１５７どうしの間には離間領域５８を設けてある。より具体的には、図１０に示すように、第４弾性体１５７は、縦方向Ｙにおける後ウエスト域１４側のベースシート１４８の端縁を始点とし、クロッチ域１５および後ウエスト域１４においては、横方向Ｘの両側縁４２の一方から、縦方向Ｙおよび横方向Ｘへ斜めに傾斜するように前ウエスト域１３側へ延びた後、縦方向Ｙにおいてクロッチ域１５の仮想横中心線Ｑ−Ｑを超えた箇所で反転し、その後、縦方向Ｙおよび横方向Ｘへ斜めに傾斜するように後ウエスト域１４側へ横方向Ｘの両側縁４２の他方まで延び、縦方向Ｙにおける後ウエスト域１４側のベースシート１４８の端縁を終点とする。
【００５３】
第３弾性体１５６および第４弾性体１５７は、厚さ方向Ｚにおいて、吸液性構造体４９の非肌対向面に配置されている。
【００５４】
第３弾性体１５６および第４弾性体１５７は、例えば内外面クロッチシート５１，５２の少なくとも一方のシート５１，５２の全面に塗布したホットメルト接着剤９５によってベースシート１４８に固定してある。
【００５５】
弾性体１５６，１５７は、太さ（線径）が約４００〜１０００ｄｔｅｘ、伸長倍率が約１．８〜３．０倍の弾性材料を用いることができる。また、各弾性体間の縦方向Ｙにおける離間寸法（ピッチ。弾性体の中心部間の距離）は、約３．０〜３０．０ｍｍであって、少なくとも５．０ｍｍ以上であることが好ましい。
【００５６】
このおむつ１０によれば、クロッチ域１５のベースシート１４８には、内外面クロッチシート５１，５２間において、前ウエスト域１３側から後ウエスト域１４側に向けて凸となるように延びる例えば２条のストランド状又はストリング状の弾性材料からなる第３弾性体１５６を伸長下に固定してあるとともに、後ウエスト域１４側から前ウエスト域１３側に向けて凸となるように延びる例えば２条のストランド状又はストリング状の弾性材料からなる第４弾性体１５７を伸長下に固定してあるため、弾性体１５６，１５７の収縮力によって、排泄前および排泄後を通じて、クロッチパネル１２が着用者の肌から離れることを防止することができる。よって、このおむつ１０によれば、着用時の見栄えが低下することを防止することができる。
【００５７】
また、上述したように、吸液性構造体４９は、吸収性ポリマー粒子６３から、または少なくとも約７０質量％から形成された吸液性コア６２およびそれを被包するシート６０，６１のみから形成されているため、弾性体１５６，１５７の収縮によってクロッチパネル１２が着用者の肌側に密着するように持ち上げられやすいため、尿等の排泄物が漏れることを防止することができる。また、横方向Ｘにおいて、第３弾性体１５６どうしの間、および第４弾性体１５７どうしの間には離間領域５８をそれぞれ設けてあるため、排泄物がおむつ１０に排泄された場合には、排泄物の自重によって離間領域５８が着用者の肌から離れるように吸液性構造体４９が変形する。よって、排泄物が直接肌に接触することを抑えることができるため、肌にかぶれ等が発生するのを抑えることができる。
【００５８】
なお、上述した実施の形態には、第３弾性体１５６と第４弾性体１５７とが交差するもので説明した。しかし、この発明は、上述した実施の形態に限られず、第３弾性体１５６と第４弾性体１５７とは必ずしも交差する必要はない。
【００５９】
＜第３実施形態＞
図１１に示すベースシート２４８は、図６に示したベースシート４８の変形例である。図１１は、ベースシート２４８に仮想折曲線２１を設ける前において、内外面クロッチシート５１，５２の間に、弾性体５４，５５，２５６，２５７を固定したベースシート２４８を示すものであるが、説明の便宜のため、ベースシート２４８から外面クロッチシート５２を取り除いてある。この変形例の基本的構成は、図６に示したベースシート４８と同様であるので、同一の箇所には同一の符号を付して説明を省略し、相違する点についてのみ以下に説明する。
【００６０】
第５弾性体２５６は、内外面クロッチシート５１，５２間において、前ウエスト域１３側の端縁を始点とし、後ウエスト域１４側の端縁を終点とするように縦方向Ｙへ延びる例えば２条のストランド状又はストリング状の弾性部材を伸長下に固定してある。より具体的には、図１１に示すように、第５弾性体２５６は、横方向Ｘにおいては、図１１中、右方に偏倚し、かつ縦方向Ｙにおける前ウエスト域１３側のベースシート２４８の端縁を始点とし、前ウエスト域１３およびクロッチ域１５の前ウエスト域１３側においては、縦方向Ｙへ直状に延び、その後、クロッチ域１５の中央においては、縦方向Ｙおよび横方向Ｘへ斜めに傾斜するように延びた後、横方向Ｘにおいては、図１１中、左方に偏倚し、かつ縦方向Ｙにおける後ウエスト域１４側のベースシート２４８の端縁を終点とする。
【００６１】
第６弾性体２５７は、内外面クロッチシート５１，５２間において、前ウエスト域１３側の端縁を始点とし、後ウエスト域１４側の端縁を終点とするように縦方向Ｙへ延びる例えば２条のストランド状又はストリング状の弾性部材を伸長下に固定してある。より具体的には、図１１に示すように、第５弾性体２５６は、横方向Ｘにおいては、図１１中、左方に偏倚し、かつ縦方向Ｙにおける前ウエスト域１３側のベースシート２４８の端縁を始点とし、前ウエスト域１３およびクロッチ域１５の前ウエスト域１３側においては、縦方向Ｙへ直状に延び、その後、クロッチ域１５の中央においては、縦方向Ｙおよび横方向Ｘへ斜めに傾斜するように延びて第５弾性体２５６と交差した後、横方向Ｘにおいては、図１１中、右方に偏倚し、かつ縦方向Ｙにおける後ウエスト域１４側のベースシート２４８の端縁を終点とする。
【００６２】
第５弾性体２５６および第６弾性体２５７は、厚さ方向Ｚにおいて、吸液性構造体４９の非肌対向面に配置されている。
【００６３】
第５弾性体２５６と第６弾性体２５７との交差する部位に対して縦方向Ｙの前ウエスト域１３側および後ウエスト域１４側には、第５弾性体２５６と第６弾性体２５７とが離間する離間領域５８をそれぞれ設けてある。
【００６４】
第５弾性体２５６および第６弾性体２５７は、例えば内外面クロッチシート５１，５２の少なくとも一方のシート５１，５２の全面に塗布したホットメルト接着剤９５によってベースシート２４８に固定してある。
【００６５】
弾性体２５６，２５７は、太さ（線径）が約４００〜１０００ｄｔｅｘ、伸長倍率が約１．８〜３．０倍の弾性材料を用いることができる。また、各弾性体２５６，２５７間の横方向Ｘにおける離間寸法（ピッチ。弾性体の中心部間の距離）は、約３．０〜３０．０ｍｍであって、少なくとも５．０ｍｍ以上であることが好ましい。
【００６６】
このおむつ１０によれば、クロッチ域１５のベースシート２４８には、前ウエスト域１３側の端縁を始点とし、後ウエスト域１４側の端縁を終点とするように縦方向Ｙへ延びる例えば２条のストランド状又はストリング状の弾性材料からなる第５弾性体２５６を伸長下に固定してあるとともに、前ウエスト域１３側の端縁を始点とし、後ウエスト域１４側の端縁を終点とするように縦方向Ｙへ延びる例えば２条のストランド状又はストリング状の弾性材料からなる第６弾性体２５７を伸長下に第５弾性体２５６と交差するように固定してあるため、弾性体２５６，２５７の収縮力によって、排泄前および排泄後を通じて、クロッチパネル１２が着用者の肌から離れることを防止することができる。よって、このおむつ１０によれば、着用時の見栄えが低下することを防止することができる。
【００６７】
また、上述したように、吸液性構造体４９は、吸収性ポリマー粒子６３から、または少なくとも約７０質量％から形成された吸液性コア６２およびそれを被包するシート６０，６１のみから形成されているため、弾性体２５６，２５７の収縮によってクロッチパネル１２が着用者の肌側に密着するように持ち上げられやすいため、尿等の排泄物が漏れることを防止することができる。さらに、前後ウエスト域１３，１４、並びにクロッチ域１５の前ウエスト域１３側およびクロッチ域１５の後ウエスト域１４側には、第５弾性体２５６と第６弾性体２５７との間に離間領域５８をそれぞれ設けてあるため、排泄物がおむつ１０に排泄された場合には、排泄物の自重によって離間領域５８が着用者の肌から離れるように吸液性構造体４９が変形する。よって、排泄物が直接肌に接触することを抑えることができるため、肌にかぶれ等が発生するのを抑えることができる。
【００６８】
図１２に示すベースシート３４８は、図１１に示したベースシート２４８の変形例である。図１２は、ベースシート３４８に仮想折曲線２１を設ける前において、内外面クロッチシート５１，５２の間に、弾性体５４，５５，３５６，３５７を固定したベースシート３４８を示すものであるが、説明の便宜のため、ベースシート３４８から外面クロッチシート５２を取り除いてある。また、後述する第５弾性体３５６は、第６弾性体３５７との相違を示すため、説明の便宜上、二点鎖線で示してある。この変形例の基本的構成は、図１１に示したベースシート２４８と同様であるので、同一の箇所には同一の符号を付して説明を省略し、相違する点についてのみ以下に説明する。
【００６９】
第５弾性体３５６は、内外面クロッチシート５１，５２間において、前ウエスト域１３側の端縁を始点とし、後ウエスト域１４側の端縁を終点とするように縦方向Ｙへ延びる例えば２条のストランド状又はストリング状の弾性部材を伸長下に固定してある。より具体的には、図１２に示すように、第５弾性体３５６は、横方向Ｘにおいては、図１１中、右方に偏倚し、かつ縦方向Ｙにおける前ウエスト域１３側のベースシート２４８の端縁を始点とし、前ウエスト域１３においては、縦方向Ｙへ直状に延び、その後、前ウエスト域１３とクロッチ域１５との間においては、縦方向Ｙおよび横方向Ｘへ斜めに傾斜するように吸液性構造体４９の図１２中の左方の側縁に近接するように延び、その後、縦方向Ｙおよび横方向Ｘへ斜めに傾斜するように吸液性構造体４９の図１２中の右方の側縁に近接するように延びた後、再び反転して、クロッチ域１５と後ウエスト域１４との間においては、縦方向Ｙおよび横方向Ｘへ斜めに傾斜するように吸液性構造体４９の図１２中の左方の側縁に近接するように延び、その後、縦方向Ｙへ延びて後ウエスト域１４側のベースシート２４８の端縁を終点とする。
【００７０】
第６弾性体３５７は、内外面クロッチシート５１，５２間において、前ウエスト域１３側の端縁を始点とし、後ウエスト域１４側の端縁を終点とするように縦方向Ｙへ延びる例えば２条のストランド状又はストリング状の弾性部材を伸長下に固定してある。より具体的には、図１２に示すように、第６弾性体３５７は、横方向Ｘにおいては、図１１中、左方に偏倚し、かつ縦方向Ｙにおける前ウエスト域１３側のベースシート２４８の端縁を始点とし、前ウエスト域１３においては、縦方向Ｙへ直状に延び、その後、前ウエスト域１３とクロッチ域１５との間においては、縦方向Ｙおよび横方向Ｘへ斜めに傾斜するように吸液性構造体４９の図１２中の右方の側縁に近接するように延び、その後、縦方向Ｙおよび横方向Ｘへ斜めに傾斜するように吸液性構造体４９の図１２中の左方の側縁に近接するように延びた後、再び反転して、クロッチ域１５と後ウエスト域１４との間においては、縦方向Ｙおよび横方向Ｘへ斜めに傾斜するように吸液性構造体４９の図１２中の右方の側縁に近接するように延び、その後、縦方向Ｙへ延びて後ウエスト域１４側のベースシート２４８の端縁を終点とする。
【００７１】
図１２に示す例では、第５弾性体３５６および第６弾性体３５７は、仮想縦中心線Ｐ−Ｐと仮想横中心線Ｑ−Ｑとの交点Ｏを通過する。換言すれば、交点Ｏには、第５弾性体３５６と第６弾性体３５７とが交差する中央交差領域３０１を設けてある。さらに、クロッチ域１５の前ウエスト域１３側には、第５弾性体３５６と第６弾性体３５７とが交差する前交差領域３０２を設けてあるとともに、クロッチ域１５の後ウエスト域１４側には、第５弾性体３５６と第６弾性体３５７とが交差する後交差領域３０３を設けてある。
【００７２】
また、縦方向Ｙにおいて、中央交差領域３０１と前交差領域３０２との間には、第５弾性体３５６と第６弾性体３５７とが離間する前離間領域３０５を設けてあり、中央交差領域３０１と後交差領域３０３との間には、第５弾性体３５６と第６弾性体３５７とが離間する後離間領域３０６を設けてある。このように縦方向において、前交差領域３０２と、前離間領域３０５と、中央交差領域３０１と、後離間領域３０６と、後交差領域３０３とを並べて配置してあるため、尿等の排泄物を前離間領域３０５に排泄し、大便等の排泄物を後離間領域３０６に排泄するようにおむつ１０を着用すれば、排泄物の自重によって前後離間領域３０５，３０６が着用者の肌から離れるように吸液性構造体４９を変形させることができる。よって、排泄物が直接肌に接触することを抑えることができるため、肌にかぶれ等が発生するのを抑えることができる。一方、排泄物が排泄されない箇所では、交差領域の弾性体３５６，３５７によって、ベースシート３４８の肌対向面が着用者の肌から離間することを防止することができる。
【００７３】
弾性体３５６，３５７の固定、吸液性構造体４９に対する厚さ方向Ｚの位置、太さ、伸長倍率、横方向Ｘにおける離間寸法は、弾性体２５６，２５７と同様である。
【００７４】
おむつ１０を構成する各構成部材には、本明細書に記載されている材料のほかに、この種の物品において通常用いられている各種の公知の材料を制限なく用いることができる。また、上述した実施形態のおむつ１０は、クロッチパネル１２の前後端部１２Ａ，１２Ｂが、前後ウエストパネル１８，１９の非肌対向面に取り付けられる。しかし、この発明は、それに限られず、クロッチパネル１２の前後端部１２Ａ，１２Ｂを、前後ウエストパネル１８，１９の肌対向面に取り付けてもよい。さらに、本明細書において使用されている「第１」、「第２」、「第３」、「第４」、「第５」、および「第６」の用語は、同様の要素、位置等を単に区別するために用いてある。
【００７５】
以上に記載した第１発明に関する開示は、少なくとも下記事項に要約することができる。
【００７６】
第１発明は、互いに直交する縦方向Ｙ、横方向Ｘ、および厚さ方向Ｚを有し、肌対向面および非肌対向面と、前ウエスト域１３と、後ウエスト域１４と、前後ウエスト域１３，１４間に位置するクロッチ域１５と、前後ウエスト域１３，１４を画定し、前後ウエストパネル１８，１９から形成される弾性ウエストパネル１１と、吸液性コア６２を有する吸液性構造体４９と吸液性構造体４９を積層するベースシート４８とを備え、縦方向Ｙにおけるその前後端部１２Ａ，１２Ｂが前後ウエストパネル１８，１９に取り付けられてクロッチ域１５を画定するクロッチパネル１２とを含む使い捨ておむつ（使い捨て着用物品）１０である。
【００７７】
第１発明の特徴は以下に示される事項である。吸液性構造体４９は、少なくとも２枚のシート（繊維不織布）６０，６１と、２枚のシート６０，６１の間に介在した吸収性ポリマー粒子６３とを吸液性コア６２が含む。クロッチ域１５において、ベースシート１４８には、横方向Ｘの両側部４２の一方から中央部４１に向けて凸となるように延びる第１弾性体５６を設けるとともに、横方向Ｘの両側部４２の他方から中央部４１に向けて凸となるように延びる第２弾性体５７を設けてある。
【００７８】
上記段落［００７６］，［００７７］に開示した本発明は、少なくとも下記の実施の形態を含むことができる。
【００７９】
（１）第１弾性体５６と第２弾性体５７とが交差する。
（２）吸液性構造体４９は、吸液性コア６２の質量の少なくとも７０質量％の吸収性ポリマー粒子６３をコア６２が含み、吸収性ポリマー粒子６３によって排泄物を吸収する吸収領域６４と、吸収領域６４の間をシールするシール領域６５とが縦方向Ｙへ交互に配置される。
【００８０】
以上に記載した第２発明に関する開示は、少なくとも下記事項に要約することができる。
【００８１】
第２発明は、互いに直交する縦方向Ｙ、横方向Ｘ、および厚さ方向Ｚを有し、肌対向面および非肌対向面と、前ウエスト域１３と、後ウエスト域１４と、前後ウエスト域１３，１４間に位置するクロッチ域１５と、前後ウエスト域１３，１４を画定し、前後ウエストパネル１８，１９から形成される弾性ウエストパネル１１と、吸液性コア６２を有する吸液性構造体４９と吸液性構造体４９を積層するベースシート４８とを備え、縦方向Ｙにおけるその前後端部１２Ａ，１２Ｂが前後ウエストパネル１８，１９に取り付けられてクロッチ域１５を画定するクロッチパネル１２とを含む使い捨ておむつ（使い捨て着用物品）１０である。
【００８２】
第２発明の特徴は以下に示される事項である。吸液性構造体４９は、少なくとも２枚のシート（繊維不織布）６０，６１と、２枚のシート６０，６１の間に介在した吸収性ポリマー粒子６３とを吸液性コア６２が含む。クロッチ域１５において、ベースシート４８には、前ウエスト域１３側から後ウエスト域１４側に向けて凸となるように延びる第３弾性体１５６を設けるとともに、後ウエスト域１４側から前ウエスト域１３側に向けて凸となるように延びる第４弾性体１５７を設けてある。
【００８３】
上記段落［００８１］，［００８２］に開示した第２発明は、少なくとも下記の実施の形態を含むことができる。
【００８４】
（１）第３弾性体１５６と第４弾性体１５７とが、横方向Ｘの中央部４１において交差する。
（２）吸液性構造体４９は、吸液性コア６２の質量の少なくとも７０質量％の吸収性ポリマー粒子６３をコア６２が含み、吸収性ポリマー粒子６３によって排泄物を吸収する吸収領域６４と、吸収領域６４の間をシールするシール領域６５とが縦方向Ｙへ交互に配置される。
【００８５】
以上に記載した第３発明に関する開示は、少なくとも下記事項に要約することができる。
【００８６】
第３発明は、互いに直交する縦方向Ｙ、横方向Ｘ、および厚さ方向Ｚを有し、肌対向面および非肌対向面と、前ウエスト域１３と、後ウエスト域１４と、前後ウエスト域１３，１４間に位置するクロッチ域１５と、前後ウエスト域１３，１４を画定し、前後ウエストパネル１８，１９から形成される弾性ウエストパネル１１と、吸液性コア６２を有する吸液性構造体４９と吸液性構造体４９を積層するベースシート４８とを備え、縦方向Ｙにおけるその前後端部１２Ａ，１２Ｂが前後ウエストパネル１８，１９に取り付けられてクロッチ域１５を画定するクロッチパネル１２とを含む使い捨ておむつ（使い捨て着用物品）１０である。
【００８７】
第３発明の特徴は以下に示される事項である。吸液構造体４９は、少なくとも２枚のシート（繊維不織布）６０，６１と、２枚のシート６０，６１の間に介在した吸収性ポリマー粒子６３とを含む。ベースシート２４８には、前ウエスト域１３側の端縁を始点とし、後ウエスト域１４側の端縁を終点とするように縦方向Ｙへ延びる第５弾性体２５６，３５６を設けるとともに、前ウエスト域１３側の端縁を始点とし、後ウエスト域１４側の端縁を終点とするように縦方向Ｙへ延びる第６弾性体２５７，３５７を設けてあり、第５弾性体２５６，３５６と第６弾性体２５７，３５７とがクロッチ域１５で交差する。
【００８８】
上記段落［００８６］，［００８７］に開示した第３発明は、少なくとも下記の実施の形態を含むことができる。
【００８９】
吸液性構造体４９は、吸液性コア６２の質量の少なくとも７０質量％の吸収性ポリマー粒子６３をコア６２が含み、吸収性ポリマー粒子６３によって排泄物を吸収する吸収領域６４と、吸収領域６４の間をシールするシール領域６５とが縦方向Ｙへ交互に配置される。
【符号の説明】
【００９０】
１０      使い捨て着用物品（使い捨ておむつ）
１１      弾性ウエストパネル
１２      クロッチパネル
１２Ａ    前端部
１２Ｂ    後端部
１３      前ウエスト域
１４      後ウエスト域
１５      クロッチ域
１８      前ウエストパネル
１９      後ウエストパネル
４１      中央部
４２      両側部
４９      吸液性構造体
５６      第１弾性体
５７      第２弾性体
６０      上面シート（繊維不織布）
６１      下面シート（繊維不織布）
６２      吸液性コア
６３      吸収性ポリマー粒子
６４      吸収領域
６５      シール領域
１５６    第３弾性体
１５７    第４弾性体
２５６    第５弾性体
２５７    第６弾性体
３５６    第５弾性体
３５７    第６弾性体
Ｘ        横方向
Ｙ        縦方向
Ｚ        厚さ方向
【図１】
0005917136.tif 000002
【図２】
0005917136.tif 000003
【図３】
0005917136.tif 000004
【図４】
0005917136.tif 000005
【図５】
0005917136.tif 000006
【図６】
0005917136.tif 000007
【図７】
0005917136.tif 000008
【図８】
0005917136.tif 000009
【図９】
0005917136.tif 000010
【図１０】
0005917136.tif 000011
【図１１】
0005917136.tif 000012
【図１２】
0005917136.tif 000013